(57)【要約】【課題】壁材を鎧張り状構造等に固定する際に壁材を手や腕で押さえて支持しながら施工する必要がなく、施工を容易にできる壁構造を提供する。【解決手段】複数の壁材１が上下に重なって固着具６により壁下地２に固定された壁構造に関する。複数の壁材１が、上下に重なる壁材１として、下の壁材１である第１の壁材１ａと、上の壁材１である第２の壁材１ｂとを含む。第２の壁材１ｂは、裏面に支持部材３を設けて形成される。支持部材３は、第２の壁材１ｂの裏面に設けられた第１片４と、第１片４に設けられた第２片５とを有する。壁下地２に固定された第１の壁材１ａの上端部に、支持部材３の第２片５が載せられ、第１の壁材１ａの上部に第２の壁材１ｂの下部が重ねられる。第２の壁材１ｂが壁下地２に固着具６により固定されている。【選択図】図１
2015086553.tif 000002
【特許請求の範囲】
【請求項１】
複数の壁材が上下に重なって固着具により壁下地に固定された壁構造であって、
前記複数の壁材が、上下に重なる壁材として、下の壁材である第１の壁材と、上の壁材である第２の壁材とを含み、
前記第２の壁材は、裏面に支持部材を設けて形成され、
前記支持部材は、第２の壁材の裏面に設けられた第１片と、前記第１片に設けられた第２片とを有し、
前記壁下地に固定された前記第１の壁材の上端部に、前記支持部材の第２片が載せられ、
前記第１の壁材の上部に前記第２の壁材の下部が重ねられ、
前記第２の壁材が前記壁下地に前記固着具により固定されていることを特徴とする壁構造。
【請求項２】
前記第２の壁材には、固着具が挿入される固定用孔が設けられ、前記固定用孔の下端と前記第２片の上面とが略同じ位置であることを特徴とする請求項１に記載の壁構造。
【請求項３】
複数の壁材を上下に重ね、固着具により壁下地に固定する壁構造の施工方法であって、
前記複数の壁材が、上下に重なる壁材として、下の壁材である第１の壁材と、上の壁材である第２の壁材とを含み、
前記固着具により前記第１の壁材を前記壁下地に固定する第１工程と、
前記第１の壁材の上部に前記第２の壁材の下部が重なるように、前記第２の壁材を配置する第２工程と、
前記固着具により前記第２の壁材を前記壁下地に固定する第３工程とを有し、
前記第２の壁材として、裏面に支持部材が固定されたものを用い、前記支持部材は、第２の壁材の裏面に設けられた第１片と、前記第１片に設けられた第２片とを有し、
前記第２工程において、前記支持部材の前記第２片を、前記第１の壁材の上端部に載せることを特徴とする壁構造の施工方法。
【請求項４】
前記第２の壁材には、固着具が挿入される固定用孔が設けられ、前記固定用孔の下端と前記第２片の上面とが略同じ位置であることを特徴とする請求項３に記載の壁構造の施工方法。
【発明の詳細な説明】
【技術分野】
【０００１】
本発明は、鎧張り状等の壁構造及びこの壁構造の施工方法に関するものである。
【背景技術】
【０００２】
壁材を鎧張り状に壁下地に施工する方法として、複数の壁材を上下に重ね合わせ、重ね合わせた部分に釘等の金具を打ち込み、壁下地に固定する方法がある。ほぼ垂直な壁下地に壁材を施工する場合、金具を打ち入れる際に、壁材を手や腕でしっかりと押さえながら施工する必要があり、工具が扱いにくくなり、作業が困難であり、作業性が低下するという問題があった。また、壁材を手や腕で押さえながら壁下地に固定するため、壁材を斜めに固定してしまうおそれもあった。
【０００３】
ところで、壁材を鎧張り状に施工する際に、壁材同士を重ね合わせる位置を一定にする必要がある。その方法として、重ねる位置を示す印をあらかじめ壁材に付け、その印に合わせて壁材を重ねながら施工する方法がある。しかし、この方法では、印を確認しながら壁材同士を重ね合わせる必要があるため、作業に時間がかかる。
【０００４】
そこで、鎧張り状に壁材を施工する方法として、裏面に斜め溝を形成した壁材を用い、この斜め溝に係合する係合片を有する固定具で、壁材同士を固定する方法が開示されている（特許文献１及び特許文献２参照）。特許文献１では、固定具として、第１の壁材の上端部に当接する前面片及び上面片と、第２の壁材の斜め溝に係合する係合片と、第２の壁材の下端部に当接する支持片と、前面片に設けられた釘孔と、からなるものが開示されている。また、特許文献２では、固定具として、釘孔がなく、第１の壁材の上端部に当接する前面片及び上面片と、第２の壁材の斜め溝に係合する係合片と、第２の壁材の下端部に当接する支持片と、からなるものが開示されている。
【先行技術文献】
【特許文献】
【０００５】
【特許文献１】特開２００３−０５６１５４号公報
【特許文献２】特開２００３−２９３５４９号公報
【発明の概要】
【発明が解決しようとする課題】
【０００６】
しかし、これらの固定具を用いた施工方法では、あらかじめ壁材に斜め溝を設ける必要があり、壁材を加工する必要がある。また、斜め溝を形成するため、壁材には斜め溝の深さ以上の厚みが必要となり、壁材を軽量化することは困難である。また、施工の際に、壁材の裏面に形成されている斜め溝に固定具の係合片を合わせる必要があり、施工に手間がかかる。また、特許文献２のように釘等の金具で壁材を壁下地に固定していない鎧張り状構造では、強風などにより鎧張り構造にズレや飛散が生じるおそれがある。
【０００７】
本発明は上記の点に鑑みてなされたものであり、壁材を鎧張り状構造等に固定する際に壁材を手や腕で押さえて支持しながら施工する必要がなく、施工を容易にできる壁構造及び壁構造の施工方法を提供することを目的とするものである。
【課題を解決するための手段】
【０００８】
本発明に係る壁構造は、複数の壁材が上下に重なって固着具により壁下地に固定された壁構造であって、
前記複数の壁材が、上下に重なる壁材として、下の壁材である第１の壁材と、上の壁材である第２の壁材とを含み、
前記第２の壁材は、裏面に支持部材を設けて形成され、
前記支持部材は、第２の壁材の裏面に設けられた第１片と、前記第１片に設けられた第２片とを有し、
前記壁下地に固定された前記第１の壁材の上端部に、前記支持部材の第２片が載せられ、
前記第１の壁材の上部に前記第２の壁材の下部が重ねられ、
前記第２の壁材が前記壁下地に前記固着具により固定されていることを特徴とするものである。
【０００９】
本発明に係る壁構造において、前記第２の壁材には、固着具が挿入される固定用孔が設けられ、前記固定用孔の下端と前記第２片の上面とが略同じ位置であることが好ましい。
【００１０】
本発明に係る壁構造の施工方法は、複数の壁材を上下に重ね、固着具により壁下地に固定する壁構造の施工方法であって、
前記複数の壁材が、上下に重なる壁材として、下の壁材である第１の壁材と、上の壁材である第２の壁材とを含み、
前記固着具により前記第１の壁材を前記壁下地に固定する第１工程と、
前記第１の壁材の上部に前記第２の壁材の下部が重なるように、前記第２の壁材を配置する第２工程と、
前記固着具により前記第２の壁材を前記壁下地に固定する第３工程とを有し、
前記第２の壁材として、裏面に支持部材が固定されたものを用い、前記支持部材は、第２の壁材の裏面に設けられた第１片と、前記第１片に設けられた第２片とを有し、
前記第２工程において、前記支持部材の前記第２片を、前記第１の壁材の上端部に載せることを特徴とするものである。
【００１１】
本発明に係る壁構造の施工方法において、前記第２の壁材には、固着具が挿入される固定用孔が設けられ、前記固定用孔の下端と前記第２片の上面とが略同じ位置であることが好ましい。
【発明の効果】
【００１２】
本発明によれば、壁材を鎧張り状構造等に固定する際に壁材を手や腕で押さえて支持しながら施工する必要がなく、施工を容易にできる。
【図面の簡単な説明】
【００１３】
【図１】本発明に係る壁構造の一例を示す断面図である。
【図２】支持部材の一例を示すものであり、（ａ）は正面図であり、（ｂ）は側面図である。
【図３】本発明に係る壁構造の複数の例を示すものであり、（ａ）及び（ｂ）は概略断面図である。
【図４】第２の壁材の一例を示すものであり、（ａ）は正面図であり、（ｂ）は背面図であり、（ｃ）は（ｂ）の一部の拡大図である。
【図５】本発明に係る壁構造の施工方法の一例を示すものであり、（ａ）〜（ｃ）は断面図である。
【発明を実施するための形態】
【００１４】
以下、本発明の実施の形態を説明する。
【００１５】
図１に、本発明の壁構造の一例を示す。図１は、複数の壁材１が上下に重なって固着具６により壁下地２に固定された壁構造である。複数の壁材１が、上下に重なる壁材として、下の壁材である第１の壁材１ａと、上の壁材である第２の壁材１ｂとを含む。第２の壁材１ｂは、裏面に支持部材３が設けられ、支持部材３を介して、第１の壁材１ａに配置されて、第１の壁材１ａの上部に第２の壁材１ｂの下部が重ねられている。そして、固着具６により、第１の壁材１ａ及び第２の壁材１ｂが壁下地２に固定されている。固着具６としては、釘やビス等を用いることができる。本明細書では、第２の壁材１ｂの裏面に、支持部材３が固定されている場合について説明しているが、第２の壁材１ｂと同様に、第１の壁材１ａを含む他の壁材１にも支持部材３が固定されていることが好ましい。
【００１６】
図２に、支持部材３の一例を示す。支持部材３は、第１片４と、第１片４に設けられた第２片５とからなる。第１片４及び第２片５の形状は特に限定されない。本明細書では、第１片４及び第２片５の形状が矩形状の平板である場合について説明する。特に断らない限り、支持部材３において、矩形状の平板である第１片４を垂直に立てた場合に、第１片４の第２片５が設けられた側を上側、第１片４の第２片５が設けられた側の反対側を下側とする。第１片４の大きさは、上下方向に５〜１５ｃｍ、幅方向に５〜１０ｃｍが好ましい。第２片５は、第１片４の端縁から略垂直に延出していることが好ましい。支持部材３の側面から見た形状は、図２（ｂ）のようにＬ字状であってよい。
【００１７】
図１の壁構造では、第２の壁材１ｂの裏面に、支持部材３の第１片４が接するように設けられ、支持部材３の第２片５は、第１の壁材１ａの上端部に載せられている。第２片５の第１片４の上端縁からの長さは、図３（ａ）のように、第１の壁材１ａの上端部に引っ掛けることができると共に、第２の壁材１ｂを支持できるように適宜設定される。第２片５の第１片４の上端縁からの長さは、図３（ｂ）のように、第１の壁材１ａの厚みよりわずかに長いことが好ましい。第２片５の第１片４の上端縁からの長さが、第１の壁材１ａの厚みよりわずかに長い場合、第２片５の先端部５ｂが壁下地２に接することになる。これにより、第２の壁材１ｂに固着具６を挿入する際に、挿入時に生じる力は第２片５の先端部５ｂに伝わるため、第１の壁材１ａには力が加わりにくく、第１の壁材１ａを破損しにくくなる。第２片５の第１片４の上端縁からの長さは、上記の効果が得られるよう適宜設定されることが好ましく、例えば第１の壁材１ａの厚みより、１〜３ｍｍ長いことが好ましい。
【００１８】
支持部材３には、第１片４と第２片５にまたがるように、リブ（補強材）を設けてもよい。リブを設けることにより、壁材１の重量の影響により第２片５が第２の壁材１ｂを支持できずに第１片４と第２片５とのなす角度が開くことを防止しやすくなり、支持部材３の寿命を延ばすことができる。リブの形状は、第１片４と第２片５にまたがって細長い形状でもよく、その他の形状であってもよい。
【００１９】
支持部材３は、プラスチック板、金属板等を用い、打ち抜き加工や曲げ加工により形成することができる。また、支持部材３に用いる板の厚みは１．５ｍｍ以下が好ましい。板の厚みが１．５ｍｍ以下であれば、加工しやすく、容易に支持部材３を作製することができる。また、施工後に第２の壁材１ｂの下端部と第１の壁材１ａの表面との間に、隙間を生じにくくすることができる。第１片４及び第２片５は、例えば、第１片４をプレス加工等により屈曲させることで形成することができる。
【００２０】
鎧張り状構造に用いる壁材１の形状は特に限定されないが、例えば矩形状であってもよく、図４（ａ）のように矩形状の４隅のうち上辺の２隅が欠けた形状であってもよい。
【００２１】
壁材１には、固着具６を挿入する位置に印をつけておくことが好ましい。印が設けられていると、施工の際に、固着具６を打入する位置決めがしやすく、施工が容易になるため好ましい。または、図４（ａ）のように、固着具６を挿入する位置に固定用孔７が設けられていることがより好ましく、固着具６をより打入しやすくなる。壁材１を壁下地２に安定的に固定できるのであれば、固定用孔７は１枚の壁材１に１個でもよく、２個でもよく、３個以上設けられていてもよい。固定用孔７の数は少なくてもよく、多くてもよい。固定用孔７の数が少なければ、工程が少なくなり施工が容易になる。固定用孔７の数が多ければ、壁材１を壁下地２に強固に固定することが可能になる。なお、固定用孔７を複数も受けている場合、全ての固定用孔７を使用する必要は無く、現場において適宜選択してもよいものである。
【００２２】
図１の壁構造において、支持部材３の第１片４が固定された第２の壁材１ｂを用い、この支持部材３の第２片５を第１の壁材１ａの上端部に載せる。このようにして、複数の壁材１が上下に重ねられている。複数の壁材１において、壁材１同士の上下の重なり幅は、支持部材３の第２片５を固定する位置に依存する。つまり、壁材１において、支持部材３の第２片５の下面から第２の壁材１ｂの下端部までが、複数の壁材１を重ねたときの壁材１同士の重なり幅となる。壁材１において、支持部材３を固定する位置は適宜設定される。また、１枚の壁材１が有する支持部材３の数は、支持部材３の形状や強度、壁材１の形状や重量等によって適宜設定されるが、１個でもよく、２個でもよく、３個以上であってもよい。
【００２３】
壁材１に固定用孔７が設けられている場合は、図４（ｃ）に示すように、支持部材３は、固定用孔７の下端７ａと第２片５の上面が略同じ位置になるように固定されていることが好ましい。これにより、壁材１の表面から固着具６を打入する際に、壁材１の裏面に固定された支持部材３の第２片５の上面５ａに沿って、固着具６を挿入することができる。つまり、支持部材３の第２片５の上面５ａが、固着具６の打入をガイドするため、固着具６が歪んで挿入されにくくなり、より安定して作業をすることができる。略同じ位置とは、固定用孔７の下端７ａと第２片５の上面５ａが同じ位置でもよく、また、壁材１の表面から固着具６を打入する際に、固着具６の打入をガイドすることができる程度に、固定用孔７の下端７ａが第２片５の上面５ａよりわずかに上側であってもよいことを意味する。
【００２４】
この際、壁材１において、固定用孔７及び支持部材３の第２片５は、壁材１の上下方向の幅の真ん中より上側に設けられていることが好ましい。これにより、壁材１同士の重なり幅が大きくなり、雨水等が浸入しにくくなるとともに、壁構造の表面から固着具６が見えにくくなるため好ましい。つまり、鎧張り状構造において、固着具６まで雨水等が達するのを抑制し、防水性を向上させることができるとともに、外観を損なうおそれがなく、意匠性をより向上させることができる。
【００２５】
壁材１に複数の固定用孔７が設けられている場合は、少なくとも１つの固定用孔７に支持部材３を配置し固定すればよく、壁材１を支持できる位置の固定用孔７に支持部材３を配置すればよい。例えば、壁材１の両端の固定用孔７に支持部材３を配置してもよく、壁材１の中央の固定用孔７に支持部材３を配置して固定してもよい。
【００２６】
壁材１に支持部材３を固定する方法としては、壁材１や支持部材３の材料により適宜選択されるが、例えば、両面テープや接着剤による接着や、熱融着により固定することができる。また、リベット、釘やビス等の固着具で固定してもよい。支持部材３は、少なくとも、第２の壁材１ｂを第１の壁材１ａに配置してから、第２の壁材１ｂを壁下地２に固定するまでの時間、第２の壁材１ｂを支持できる程度に固定されていればよい。作業時間が短縮され、作業性を向上させることができれば、例えば両面テープ等を用い、支持部材３は、第２の壁材１ｂを第１の壁材１ａに配置してから、第２の壁材１ｂを壁下地２に固定するまでの時間、第２の壁材１ｂを支持できる程度に固定されていればよく、第２の壁材１ｂに強固に固定されていなくてもよい。なお、壁材１に支持部材３が強固に固定されている場合は、固着具２だけでなく、支持部材３も壁材１を長期間支持することができ、壁構造の耐久性が向上するため好ましい。
【００２７】
このように、図１の壁構造では、支持部材３の第１片４が第２の壁材１ｂの裏面に固定され、支持部材３の第２片５が第１の壁材１ａの上端部に載せられて配置されている。支持部材３を用いて、壁下地２に略垂直に鎧張り状に壁材１を施工する場合、支持部材３の第２片５が壁材１の支えになり、施工の際の壁材１の落下を防止することができる。これにより、壁材１を手や腕で押さえて支持しながら施工する必要がなくなり、壁材１を手や腕で軽く押さえる程度でよく、作業が容易になり、作業時間の短縮を図ることができ、作業性が向上する。また、位置決めが容易になり壁材１を斜めに施工するおそれがなく、外観を損なうおそれがなくなり、意匠性を向上させることができ、安定した施工品質を得ることができる。
【００２８】
次に、本発明の壁構造に施工方法の一例について、図５を用いて説明する。図５の壁材１の施工方法は、下記の第１工程〜第３工程を有する。
【００２９】
まず、第１工程では、図５（ａ）のように、第１の壁材１ａを固着具６により壁下地２に固定する。固着具６で壁材１を壁下地２に固定することにより、強風による壁材１の飛散やズレをより抑えることができる。
【００３０】
次に、第２工程では、第２の壁材１ｂとして、裏面に支持部材３が固定されたものを用いる。支持部材３は、第２片５が上側に位置するように、第１片４が、第２の壁材１ｂの裏面の所定の位置に固定されている。そして、図５（ｂ）のように、第１の壁材１ａの上端部に、支持部材３の第２片５を載せることにより、第１の壁材１ａに第２の壁材１ｂを重ねて配置する。これにより、第２の壁材１ｂを、支持部材３の第２片５で支持することができる。そして、鎧張り状構造において、支持部材３の第２片５が第２の壁材１ｂを支持するため、第２の壁材１ｂの落下を防止することができ、第２の壁材１ｂを手や腕で押さえて支持しながら施工する必要がなくなり、第２の壁材１ｂを手や腕で軽く押さえる程度でよく、施工が容易になる。つまり、作業が容易になり、作業時間の短縮を図ることができ、作業性が向上する。
【００３１】
次に、第３工程では、図５（ｃ）のように、第２の壁材１ｂを第１工程と同様に、固着具６により壁下地２に固定する。固着具６で第２の壁材１ｂを壁下地２に固定することにより、強風による壁材１の飛散やズレをより抑えることができる。
【００３２】
ここで、壁材１に固定用孔７が設けられている場合は、支持部材３は、図４（ｃ）のように、固定用孔７の下端７ａと第２片５の上面が略同じ位置になるように固定されていることが好ましい。これにより、第３工程において、支持部材３の第２片５の上面５ａが、固着具６の打入をガイドするため、固着具６が歪んで挿入されにくくなり、より作業性が向上する。
【００３３】
このように、第１工程〜第３工程を必要に応じて繰り返すことにより、壁下地２に鎧張り状の壁構造を施工することができる。
【００３４】
壁材１の鎧張り構造において、壁材１が一重である部分がないほうが好ましい。つまり、壁下地２の表面に壁材１が複数枚重なっていることが好ましい。壁材１が一重となっている部分がなく、壁材１が重なっていれば、より優れた防水性を得ることができる。また、外からの熱を伝えにくく、内部の熱も放出しにくくなるため、より優れた断熱性も得ることができる。さらに、より優れた遮音性も得ることができる。
【００３５】
壁材１と壁下地２の間には、断熱性、遮水性、防火性等を有する層が設けられていてもよい。
【符号の説明】
【００３６】
１  壁材
１ａ  第１の壁材
１ｂ  第２の壁材
２  壁下地
３  支持部材
４  第１片
５  第２片
５ａ  上面
６  固着具
７  固定用孔
７ａ  下端
【図１】
2015086553.tif 000003
【図２】
2015086553.tif 000004
【図３】
2015086553.tif 000005
【図４】
2015086553.tif 000006
【図５】
2015086553.tif 000007